(57)【要約】【課題】ゆっくり泳がせた場合は、ルアー本体の直線性を保って直進させることができ、かつ、ロッドを比較的小さく動かす（引く）場合でも素早い方向転換を行うことが可能な、ルアーを提供する。【解決手段】ルアー本体１が前部１ａと後部１ｂとに分割れ、上から見た場合に前部に対して後部が左右に揺動可能とする連結機構により前部と後部とが連結されたルアーであって、一方の端部側が前部の内部に挿入され、他方の端部側が後部の内部に挿入され、左右に屈曲可能な、弾性体３６を含み、所定の速度で前記ルアーを泳がせた時には、ルアー本体および弾性体は屈曲することなく魚型ルアーは直進し、ルアーに接続されたロッドでルアーをあおることにより、ルアー本体および弾性体を屈曲させた後、屈曲した弾性体の弾性復元力がルアー本体が真っ直ぐになるように作用する。【選択図】  図１
2010193801.tif 000002
【特許請求の範囲】
【請求項１】
ルアー本体が前部と後部とに分割れ、上から見た場合に前記前部に対して前記後部が左右に揺動可能とする連結機構により前記前部と前記後部とが連結され、ラインを連結するためのライン連結部が前記前部の先端部に設けられたルアーであって、
一方の端部側が前記前部の内部に挿入され、他方の端部側が前記後部の内部に挿入され、左右に屈曲可能な、弾性体を含み、
所定の速度で前記ルアーを泳がせた時には、前記ルアー本体および前記弾性体が屈曲することなく前記魚型ルアーは直進し、
前記ルアーに接続されたロッドで前記ルアーをあおることにより、前記ルアー本体および前記弾性体を屈曲させた後、
屈曲した前記弾性体の弾性復元力が前記ルアー本体が真っ直ぐになるように作用することを特徴とするルアー。
【請求項２】
前記弾性体を複数含む請求項１に記載のルアー。
【請求項３】
前記弾性体の形状は、ピン状、棒状または板状である請求項１または２に記載のルアー。
【請求項４】
前記弾性体は、樹脂および金属から選ばれる少なくとも一種を含む請求項１〜３のいずれかの項に記載のルアー。
【請求項５】
前記前部と前記後部との連結が解除可能であり、前記弾性体を交換可能とする請求項１〜４のいずれかの項に記載のルアー。
【発明の詳細な説明】
【技術分野】
【０００１】
本発明は、ルアーに関する。
【背景技術】
【０００２】
近年、木製やプラスチック製のルアー（疑似餌）を用いたルアーフィッシングが盛んに行われている。ルアーフィッシングでは、対象魚の種類等に応じて種々のルアーが使用されている。例えば、ブラックバス等の小魚を餌とする肉食魚が対象魚の場合は、小魚に似せたルアーが使用されることがある。
【０００３】
上記ルアーとしては、ルアー本体が前部と後部とに分割れ、前部と後部とが連結機構により連結され、前部に対して後部が左右に揺動可能とする魚型ルアーがある（例えば、特許文献１参照）。
【０００４】
特許文献１に開示された魚型ルアーでは、ルアー本体の前部の前方にＶ字型の切れ込みが形成され、この切れ込みの最深部にリーダーアイ（ライン連結部）が取り付けられている。これによって、この魚型ルアーでは、リーリング（釣り糸を巻き取る動作）時に、前部が水流を受けて、ルアー本体の前部と後部とのジョイント部が小刻みに折れ曲がることにより、Ｕターンアクションを可能とする。また、リーリングまたはジャーキング（ロッドをグイと大きく動かし、ルアーを一気に引くこと。）によって、振幅（特許文献１の図５参照）が大きい蛇行アクションを可能とする。
【０００５】
ところで、釣りを行なう際には、魚の活性度に応じてルアーの泳速を変化させる必要がある。魚の活性度は、水温や水中の酸素濃度等に応じて変化するが、これらは季節の変化に伴い１年を通じてかなり変化する。そのため、ルアーの泳速についても変化させる必要がある。また、水温等の条件とは関係なく、釣り人の希望によりルアーの泳速を変化させることがある。そのため、どのような泳速であっても、魚らしい挙動を示すことが可能なルアーへのニーズがある。
【０００６】
より具体的には、魚は、そのボディーの直線性を保った状態で比較的ゆっくり泳ぐ場合がある。この様な動きの魚は、警戒心が少なくリラックスした状態であるとされおり、この様な状態の魚は、獲物として狙われ易いとされている。また、魚は、進行方向に向かって素早く右側または左側に方向転換を行いそれを連続的に行う場合、すなわちジグザクに泳ぐ場合がある。この動きは、獲物として狙われ、逃げ惑う（ダート）際に行われるとされている。
【０００７】
なお、上記方向転換は、ルアーに接続されたロッドでルアーをあおる（瞬間的に速い速度でルアーを引き寄せる）ことにより釣り糸をたるませ、ボディーを左右のいずれか一方に屈曲させた後、次いで、ボディーを真っ直ぐにすることにより行える。屈曲したボディーを素早く真っ直ぐにできれば、素早く方向転換できる。
【特許文献１】特開平８−２９８８９７号公報
【発明の概要】
【発明が解決しようとする課題】
【０００８】
しかし、特許文献１に記載された魚型ルアーでは、その泳速が遅い場合であっても、僅かな水抵抗によりルアー本体の後部が左右に揺動する。そのため、ルアー本体を真っ直ぐに保った状態で泳がせること、すなわち直進させることは困難である。また、これらの魚型ルアーでは、ロッドを比較的大きく動かしてルアーに対する水の抵抗を大きくしなければ方向転換を行うことができない。しかし、ロッドを比較的大きく動かしてしまうと、魚型ルアーと魚との距離が大きくなり、好ましくない。
【０００９】
本発明では、ゆっくり泳がせた場合は、ルアー本体の直線性を保って直進させることができ、かつ、ロッドを比較的小さく動かす（引く）場合でも素早い方向転換を行うことが可能な、ルアーを提供する。
【課題を解決するための手段】
【００１０】
本発明のルアーは、ルアー本体が前部と後部とに分割れ、上から見た場合に前記前部に対して前記後部が左右に揺動可能とする連結機構により前記前部と前記後部とが連結され、ラインを連結するためのライン連結部が前記前部の先端部に設けられたルアーであって、一方の端部側が前記前部の内部に挿入され、他方の端部側が前記後部の内部に挿入され、左右に屈曲可能な、弾性体を含み、所定の速度で前記ルアーを泳がせた時には、前記ルアー本体および前記弾性体が屈曲することなく前記魚型ルアーは直進し、前記ルアーに接続されたロッドで前記ルアーをあおることにより、前記ルアー本体および前記弾性体を屈曲させた後、屈曲した前記弾性体の弾性復元力が前記ルアー本体が真っ直ぐになるように作用することを特徴とする。
【発明の効果】
【００１１】
本発明では、一方の端部側がルアー本体の前部の内部に挿入され、他方の端部側がルアー本体の後部の内部に挿入され、左右に屈曲可能な、弾性体を含むので、ルアーをゆっくり泳がせた場合は、ルアー本体の直線性を保ってルアーを直進させることができ、かつ、ロッドを比較的小さく動かす（引く）場合、すなわち、ルアーの移動距離が短い場合でも、素早く方向転換を行うことが可能な、ルアーを提供できる。
【図面の簡単な説明】
【００１２】
【図１】本発明のルアーの一例を側面側から見た図。
【図２】図１に示したルアーを上面側から見た図。
【図３】図１に示したルアーの連結機構を構成する軸部と軸体受け連結部とを示した斜視図。
【図４】図１に示したルアーの連結機構近傍の切断面の部分模式図。
【図５】本発明のルアーの他の例を構成する連結機構近傍の切断面の部分模式図。
【図６】本発明のルアーのさらに別の例を構成する連結機構近傍の切断面の部分模式図。
【発明を実施するための形態】
【００１３】
以下、本発明のルアーの一例について、図１〜図４を参照しながら説明するが、本発明のルアーは下記例のみに限定されるものではない。
【００１４】
図１は、本発明のルアーの一例を側面側から見た図、図２は、図１に示したルアーを上面側から見た図である。図３は、連結機構を構成する軸体受け連結部３５と軸体３４を図示した斜視図であり、図４は、ルアー本体をその長さ方向に沿って中央から上下方向に垂直に切断した場合（但し、軸体受け連結部３５、軸体３４および弾性体３６は切断していない。）に見える、連結機構近傍の切断面の部分模式図である。
【００１５】
図１および図２に示されるように、ルアー本体１は、前部１ａと後部１ｂとに分割れており、前部１ａと後部１ｂは、連結機構１１（図３参照）により連結されている。後部１ｂは、ルアー本体１を上から見た場合に、前部１ａに対して左右に揺動可能である。
【００１６】
ルアー本体１の前部１ａの先端付近には、ライン（釣糸）４を連結するためのライン連結５が設けられている。釣針７、１７は、例えば、接続リング８、１８および環状連結部材６、１６を介してルアー本体１に結合されている。
【００１７】
連結機構１１（図３参照）を構成する、軸体３４、および軸体受け連結部３５は、ルアー１００を上面側から見た場合に、ルアー１００の左右間の中心を通り、ルアー１００の長手方向に延びる直線Ｙ（図２参照）上に各々配置されている。
【００１８】
図３および図４に示されるように、軸体受け連結部３５は、１対の環状部３１、３２とこれらを連結する連結部３３とからなる。各環状部３１の穴は、軸体３４を受容しており、各軸体受け連結部３５のＡ−Ａ'ラインより左側は前部１ａを構成する樹脂部分３０中に埋め込まれている。
【００１９】
軸体３４および軸体受け連結部３５の材料について特に制限はないが、例えば、ステンレスその他の金属線材等が挙げられる。
【００２０】
図２に示されるように、ルアー本体１の前部１ａの後端面は、中央部が前方に向かって略Ｖ字に窪んだ凹部９を形成している。一方、ルアー本体１の後部１ｂの上記凹部９に対向する面は、中央部が前方に略Ｖ字状に突出した凸部３を形成している。そして、凸部３の先端部には、軸体受け連結部３５の環状部３１が軸体３４の周りで左右に回動することを許容する切り欠き部２（図４参照）が形成されている。
【００２１】
この切り欠き部２内に、上記各環状部３１の少なくとも一部が受容され、後部１ｂの先端近傍に形成された軸体挿入用細穴３７、および各環状部３１の穴に軸体３４が挿入されて、前部１ａおよび後部１ｂの連結状態が保持されている。
【００２２】
このような構成により、ライン操作により、ルアー１００を、所定の速度（例えば、３〜４ｋｍ/ｈ程度）よりも速い速度で泳がせれば、あたかも本物の魚のように左右にくねらせながら水中を遊泳しているように見せかけることができる。
【００２３】
ルアー１００は、ルアー本体１内の直線Ｙ（図２参照）上に、左右に屈曲可能な弾性体３６を備えている。弾性体３６の一方の端部側は、ルアー本体の前部１ａに形成され、前部１ａの後部１ｂに向かい合う面に開口する第１弾性体受容部１１ａ内に挿入されている。弾性体３６の他方の端部側は、後部１ｂに形成され、後部１ｂの前部１ａに向かい合う面に開口する第２弾性体受容部内１１ｂに挿入されている。
【００２４】
ルアー１００では、ルアー本体１の内部に弾性体３６が挿入されているので、ライン操作により、所定の速度、例えば、３〜４ｋｍ/ｈ程度のゆっくりとした速度でルアー１００を泳がせた時には、弾性体３６の復元力の方が、ルアー１００を左右に屈曲させる水の抵抗よりも勝って、ルアー１００の直線性を保持できる。よって、警戒心が少なくリラックスした状態の魚の泳ぎを再現でき、ルアー１００に対象魚を引き寄せることができる。
【００２５】
ルアー１００を左右に屈曲させる水の抵抗が弾性体３６の復元力よりも少しでも勝ると、ルアー１００の直線性は損なわれ、ルアー１００は屈曲する。例えば、ルアーに接続されたロッド（図示せず）でルアーをあおることにより釣り糸をたるませると、ルアー１００は水の抵抗を受けて屈曲する。しかし、ルアー１００では、屈曲した弾性体３６がその弾性復元力により元の状態にもどろうとし、この弾性復元力がルアー本体１が真っ直ぐになるように作用する。そのため、屈曲したルアー１００は、弾性体３６を備えない従来のルアーよりも素早く真っ直ぐな状態に戻ることができる。よって、ルアー１００では、ロッドを大きく動かすことによりルアー１００に対する水の抵抗を大きくしなくても、弾性体３６を備えない従来のルアーよりも素早い方向転換を可能とする。また、ロッド（図示せず）によるルアーのあおりを、例えば、所定のインターバルで行えば、素早い方向転換を連続的に行うことができる。
【００２６】
このように、本発明では、ライン操作により、ルアー１００と魚との距離を著しく大きくすることなく、ルアー１００に左右に逃げ惑うようなアクションを付与できるので、本物の魚か否か不信感をもった対象魚が反射的にルアー１００に食いつくことを促すことができる。
【００２７】
弾性体３６の形状、材料等については、所定の速度でルアー１００を泳がせた時にはルアー１００の直線性を保持でき、かつ、ライン操作による素早い方向転換を行うことが可能であれば特に制限はないが、弾性体３６の形状は、例えば、ピン状、棒状、または板状等であると好ましく、その材料については、樹脂および金属から選ばれる少なくとも一種等であると好ましい。具体的には、金属ワイヤの表面が樹脂により覆われたものや、歯ブラシのブラシ部分に類似した樹脂製（例えばポリアミド製）のワイヤ等が挙げられる。また、上記樹脂は、形状記憶樹脂であってもよく、上記金属は、形状記憶合金であってもよい。市販の材料としては、例えば、ＰＰ製棒状体（ＤＯ−ＩＴ社製、ＦＧ−１２，ＦＧ−３０）等が挙げられる
【００２８】
弾性体の弾性、剛性についても、所定の速度でルアー１００を泳がせた時にルアー１００の直線性を保持でき、かつ、ライン操作による素早い方向転換が可能であれば特に制限はなく、ルアーの重量、ルアーの大きさ、ルアーの使用環境等に応じて適宜選択すればよい。
【００２９】
ルアー１００の屈曲による弾性体３６の損傷を抑制するために、前部１ａの凹部９の最深部と、後部１ｂの凸部３の先端は、相互に接していると好ましく、弾性体３６全体は、ルアー本体１内に完全に収納されていると好ましい。
【００３０】
弾性体３６は、第１弾性体受容部１１ａ内および第２弾性体受容部１１ｂ内に挿脱自在に挿入され、軸体３４も、軸体挿入用細穴３７内に挿脱自在に挿入されていると好ましい。すなわち、前部１ａと後部１ｂとの連結が解除可能であり、弾性体３６が交換可能であると好ましい。この場合、軸体３４を後部１ｂおよび各環状部３１から抜き取り、磨耗等により劣化した弾性体３６を新しいものと交換できる。また、特性の異なる弾性体を使用することにより、ルアー１００に対して、対象魚に応じた、種々の屈曲特性および直線保持性を与えることができる。
【００３１】
図１〜４を用いて説明した本発明のルアー１００の一例では、軸体３４は、ルアー本体１の上面で開口し、直線Ｙ上において、上下方向に延びた、有底の、軸体挿入用細穴３７内に挿入されているが、図５に示されるように、ルアー本体１の下面で開口した、軸体挿入用細穴３７内に挿入されていてもよい。また、図１〜４を用いて説明した本発明のルアー１００の一例では、軸体３４は、軸体挿入用細穴３７を囲う後部１ｂの面との摩擦により、軸体挿入用細穴３７内に固定されているが、図５に示されるように螺合により、軸体挿入用細穴３７内に固定されてもよい。
【００３２】
また、図１〜４を用いて説明した本発明の魚型ルアーの一例では、弾性体３６の数は１つであるが、複数であってもよい。例えば、図６に示されるように、軸体３４が、後部１ｂを構成する樹脂部分３０中に埋め込まれており、ルアー本体１内の、隣合う軸体受け連結部３５の間、最も上に配置された軸体受け連結部３５よりも上、および最も下に配置された軸体受け連結部３５よりも下から選ばれる少なくとも２箇所に弾性体３６が配置されていてもよい。
【００３３】
ルアー本体１を構成する樹脂としては、硬質合成樹脂、および／または、エラストマーやゴムほど軟質でなくやや硬めの性質を有する半硬質合成樹脂等が挙げられる。背ビレや尾びれ等については、軟質樹脂等から形成されていてもよい。硬質合成樹脂としては、ＡＢＳ樹脂、ポリスチレン樹脂、ポリカーボネート樹脂、ポリメタクリル酸メチル樹脂、ＡＳ樹脂等が好適に使用される。半硬質合成樹脂としては、ポリエチレン樹脂、ポリプロピレン樹脂などのポリオレフィン樹脂、硬質シリコーン樹脂などが好適に用いられる。軟質樹脂としては、シリコンゴム、合成ゴム、各種のエラストマー樹脂（スチレン系、オレフィン系、塩化ビニル系、ウレタン系、ポリエステル系、ポリアミド系、フッ素系、などのエラストマー樹脂）が挙げられる。
【産業上の利用可能性】
【００３４】
本発明のルアーは、あたかも小魚が泳いでいるかのような動きを実現できる。よって、本発明のルアーは、ブラックバス等の小魚を餌とする肉食魚用のルアーとして好適に使用できる。
【符号の説明】
【００３５】
１００    魚型ルアー
１        ルアー本体
１ａ      前部
１ｂ      後部
５        ライン連結部
１１      連結機構
３４      軸体
３５      軸体受け連結部
３６      弾性体
【図１】
2010193801.tif 000003
【図２】
2010193801.tif 000004
【図３】
2010193801.tif 000005
【図４】
2010193801.tif 000006
【図５】
2010193801.tif 000007
【図６】
2010193801.tif 000008